(57)【要約】【課題】遊技の進行に必要で、従来から存在した構成部品を用いて球噛み現象を解消することができ、かつ球噛み現象の解消時に遊技者に違和感を感じさせることなく適正な時期に実行する。【解決手段】パチンコ機１０に搭載される２．１サラウンドスピーカシステムを構成するメインスピーカ３０Ｌ、３０Ｒとウーファースピーカ２００の内、ウーファースピーカ２００を皿ユニット４０に形成される空間部にスピーカボックス２１４として収容したので、遊技の進行に伴って低音域の音が出力されると、この出力時の振動が上皿４２には直接伝わり、上皿４２等で発生し得る球詰まりを解消することができる。なお、このとき、球詰まりの有無を検出する必要がないので、新たな部品の増加や複雑な制御が全くない。【選択図】図４
2008036335.tif 000002
【特許請求の範囲】
【請求項１】
遊技盤へ遊技球を送り出すことで実行される遊技の進行に同期し、所定の音信号に基づいて中高音域の周波数帯域を主体として音を出力するメインスピーカと、前記所定の音信号に基づいて低音域の周波数帯域を主体として音を出力するウーファースピーカと、で構成されたスピーカシステムを搭載した遊技機であって、
前記ウーファースピーカを、このウーファースピーカからの音出力時に、前記遊技盤へ送り出す遊技球を貯留する貯留部に振動を与える位置に配置したことを特徴とする遊技機。
【請求項２】
遊技盤へ遊技球を発射する発射装置の発射位置へ前記遊技球を整列させながら供給する整列案内部と、前記整列案内部の上流側に設けられ、主として、前記遊技盤面上での遊技球による遊技の進行に応じて賞球される遊技球を貯留すると共に、当該貯留した遊技球を前記整列案内部へ送り出す貯留部と、を備えた遊技球受け皿を有する遊技機であって、
前記遊技盤の周囲に設けられ、スピーカシステムの一部を構成し、遊技の進行に応じた音信号の内、主として中高音域の周波数帯域の音を出力するメインスピーカと、
前記貯留部における遊技球を支持する底板の裏面側に配置され、所定の空間が形成されると共に前記遊技盤に対面する遊技者側に開口が設けられた筐体と、
前記メインスピーカと共にスピーカシステムを構成し、前記筐体の底部に取り付けられ、前記貯留部の底板に向けて前記音信号の内、主として低音域の周波数帯域の音を出力するウーファースピーカとを有し、
前記遊技盤での遊技の進行に同期して出力される前記ウーファースピーカからの音出力に伴う振動を、前記貯留部並びに遊技球に伝搬することを特徴とする遊技機。
【発明の詳細な説明】
【技術分野】
【０００１】
本発明は、遊技盤へ遊技球を送り出すことで実行される遊技の進行に同期し、所定の音信号に基づいて中高音域の周波数帯域を主体として音を出力するメインスピーカと、前記所定の音信号に基づいて低音域の周波数帯域を主体として音を出力するウーファースピーカと、で構成されたスピーカシステムを搭載した遊技機に関するものである。
【背景技術】
【０００２】
遊技機（例えば、パチンコ機等）におけるスピーカ構造（スピーカシステム）は、年々高音質化が図られている。例えば、スピーカシステムとして２．１サラウンドスピーカシステムや５．１サラウンドスピーカシステム等がある。
【０００３】
２．１サラウンドスピーカシステムは、２台の中高音スピーカ（以下、「メインスピーカ」という）と、１台の低音用スピーカ（以下、「ウーファースピーカ」という）の組合わせで構成されている。
【０００４】
この２．１サラウンドスピーカシステムを遊技機に適用した場合、メインスピーカが、遊技機の前枠に設けられている。
【０００５】
すなわち、前枠には、その上部及び左右両側部に亘って内部が中空状となるよう形成した装飾部にエンクロージャ（筐体等の囲い）を設けて、平面型メインスピーカを配設している（例えば、特許文献１、特許文献２参照）。
【０００６】
一方、ウーファースピーカは、特に特定された位置はなく、どちらかというと、重低音発生による振動が遊技者に伝達されるのを軽減するべく、遊技機の裏面側、かつ下方に配設され、出力方向が後ろ向きの場合が多かった。
【０００７】
ところで、パチンコ機におけるパチンコ球の流路において、球同士が噛み合って球詰まり現象を発生させることがある。特に、受け皿では、パチンコ球を整列させるために流路幅を徐々に狭めるといった構造がとられており、球詰まり現象が顕著となる。このため、球詰まり部位（受け皿に限らず）に、バイブレーター等の球噛み解消機能を設けることが提案されている（特許文献３乃至特許文献６参照）。
【０００８】
なお、特許文献３では、下タンクにバイブレーターを設けた構成が開示され、特許文献４では、補給シュート（球補給樋）の途中にバイブレーターを設けた構成が開示され、特許文献５では、球噛み現象を応力検出手段で検出しアクチュエータの起動で自動解消することが開示され、特許文献６では、電源投入による遊技機の初期設定時に球詰まり現象を振動モータ（バイブレーター）によって解消することが開示されている。
【特許文献１】特開２００３−９３６１２公報
【特許文献２】特開２００３−９３６１３公報
【特許文献３】特開２００４−４１８１０公報
【特許文献４】特開２００２−１１９７４１公報
【特許文献５】特開２００２−１１３１６５公報
【特許文献６】特開２００１−２５２４０２公報
【発明の開示】
【発明が解決しようとする課題】
【０００９】
しかしながら、上記特許文献３乃至特許文献６の技術構成では、球噛み現象を検出するセンサ、センサからの信号に基づいて球噛み現象の発生を解消するための機能（バイブレータータ、アクチュエータ等）、並びにこれらを駆動するためのドライバ、制御回路を遊技機の構成部品とは別に、専用に設ける必要がある。
【００１０】
本発明は上記事実を考慮して、遊技の進行に必要で、従来から存在した構成部品を用いて球噛み現象を解消することができ、かつ球噛み現象の解消時に遊技者に違和感を感じさせることなく適正な時期に実行することができる遊技機を得ることが目的である。
【課題を解決するための手段】
【００１１】
請求項１に記載の発明は、遊技盤へ遊技球を送り出すことで実行される遊技の進行に同期し、所定の音信号に基づいて中高音域の周波数帯域を主体として音を出力するメインスピーカと、前記所定の音信号に基づいて低音域の周波数帯域を主体として音を出力するウーファースピーカと、で構成されたスピーカシステムを搭載した遊技機であって、前記ウーファースピーカを、このウーファースピーカからの音出力時に、前記遊技盤へ送り出す遊技球を貯留する貯留部に振動を与える位置に配置したことを特徴としている。
【００１２】
請求項１記載の発明によれば、ウーファースピーカをあえて（意図的に）貯留部に振動を与える位置に配置した。一方、ウーファースピーカは、あくまでも遊技の進行に同期して、音（低音域）を出力する。
【００１３】
この結果、例えば、貯留部において遊技球の球噛みが現象が発生しているか否かの判断が不要であり、かつ、遊技者に違和感、不快感を与えることなく貯留部に振動を与えることができ、球噛みを解消することができる。
【００１４】
請求項２に記載の発明は、遊技盤へ遊技球を発射する発射装置の発射位置へ前記遊技球を整列させながら供給する整列案内部と、前記整列案内部の上流側に設けられ、主として、前記遊技盤面上での遊技球による遊技の進行に応じて賞球される遊技球を貯留すると共に、当該貯留した遊技球を前記整列案内部へ送り出す貯留部と、を備えた遊技球受け皿を有する遊技機であって、前記遊技盤の周囲に設けられ、スピーカシステムの一部を構成し、遊技の進行に応じた音信号の内、主として中高音域の周波数帯域の音を出力するメインスピーカと、前記貯留部における遊技球を支持する底板の裏面側に配置され、所定の空間が形成されると共に前記遊技盤に対面する遊技者側に開口が設けられた筐体と、前記メインスピーカと共にスピーカシステムを構成し、前記筐体の底部に取り付けられ、前記貯留部の底板に向けて前記音信号の内、主として低音域の周波数帯域の音を出力するウーファースピーカとを有し、前記遊技盤での遊技の進行に同期して出力される前記ウーファースピーカからの音出力に伴う振動を、前記貯留部並びに遊技球に伝搬することを特徴としている。
【００１５】
請求項２記載の発明によれば、受け皿は一般的に、遊技者側に突き出ており、このため、受け皿の下部は空間ができやすい。そこで、この空間である、貯留部の底板裏面側に、ウーファースピーカを取り付けた筐体を配置した。
【００１６】
筐体には、遊技者に向けて開口が設けられているため、ウーファースピーカの出力音（低音域）を確実に遊技者に伝えることができ、迫力のある効果音やＢＧＭ（バックグラウンドミュージック）を提供することができる。
【００１７】
ここで、受け皿の貯留部の下でウーファースピーカが遊技の進行に同期して、音（低音域）を出力すると、この低音出力に伴う振動が、貯留部並びに遊技球に伝搬される。これにより、貯留部での球噛みが解消される。
【００１８】
ここで、ウーファースピーカによる低音出力は、遊技の進行に応じた効果音やＢＧＭの一部であるため、例えば、貯留部において遊技球の球噛みが現象が発生しているか否かの判断は不要となる。また、効果音やＢＧＭによる音出力であるため、遊技者に違和感、不快感を与えることなく貯留部に振動を与えることができ、球噛みを解消することができる。
【発明の効果】
【００１９】
以上説明した如く本発明では、遊技の進行に必要で、従来から存在した構成部品を用いて球噛み現象を解消することができ、かつ球噛み現象の解消時に遊技者に違和感を感じさせることなく適正な時期に実行することができるという優れた効果を有する。
【発明を実施するための最良の形態】
【００２０】
図１及び図２には、本発明の一実施形態に係るパチンコ機１０が示されている。図１及び図２に示されるように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２１】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図２は開放状態を示す）。
【００２２】
ガラス枠２２の裏面側となる内枠１４の前面上部には、矩形状の開口部１５（図２参照）が形成されている。この内枠１４の開口部１５には、遊技盤Ｇが着脱（交換）可能にセットされており、遊技盤Ｇは、内枠１４に対して閉塞されたガラス枠２２によって覆われ、盤面上に設けられた遊技領域が、パチンコ機１０の正面側から窓部２４のガラス板２６を通して視認可能とされている。
【００２３】
ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音域出力用のメインスピーカ３０Ｌ、３０Ｒが内蔵されている。このメインスピーカ３０Ｌ、３０Ｒは、本実施の形態のパチンコ機１０に搭載された２．１サラウンドスピーカシステムの一部を構成する。
【００２４】
内枠１４の前面下部には、パチンコ機１０の前面下部を構成する皿ユニット４０が配置されている。皿ユニット４０は、左側端部が内枠１４に軸支されて開閉可能に取り付けられており、前面上部に、打球（遊技球）を貯留して発射装置（図示省略）へ供給する受け皿としての上皿４２が突設され、上皿４２の左下に、上皿４２に貯留しきれない遊技球を貯留するための下皿４４が突設されている。
【００２５】
上皿４２は、底面が正面視にて右側から左側へ向けて下り傾斜しており、傾斜方向下流側となる底面の左側に、上皿４２内に貯留された遊技球を１列に整列して発射装置（図示省略）へ供給するための整列案内部である整列通路４６が設けられている。上皿４２の奥壁面における右側端部には、内枠１４の裏面に設けられた払出装置（図示省略）から払い出された貸し球や賞球が排出される球排出口４８が形成されている。この球排出口４８から排出された貸し球や賞球は、上皿４２に貯留されるとともに、上皿４２内を左方向へ流下し整列通路４６により１列に整列されて発射装置（図示省略）へ供給される。また、上皿４２の前面左側に設けられた上皿用球抜きレバー５０を操作すると、整列通路４６の最下流部が開放して、上皿４２に貯留された遊技球が皿ユニット４０内の球通路（図示省略）を通り下皿４４へ流下し、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００２６】
この皿ユニット４０の前面には、右下部に、発射装置と電気的に接続されて打球の発射力（飛距離）を調整するための発射ハンドル５４が取り付けられており、左下部に、下皿４４に隣接して灰皿５６が設けられている。また、皿ユニット４０の前面略中央は矩形箱状に膨出しており、内部には、遊技の進行に応じて効果音を出力する重低音域用のウーファースピーカ２００（図４乃至図７参照／詳細後述）の音出力開口部５８が設けられている。なお、このウーファースピーカ２００は、前述したメインスピーカ３０Ｌ、３０Ｒと共に２．１サラウンドスピーカシステムを構成している。
【００２７】
（パチンコ機のスピーカ構造）
次に、本実施の形態のパチンコ機１０に搭載された２．１サラウンドスピーカシステムにおける、音の出力端部品であるメインスピーカ３０Ｌ、３０Ｒとウーファースピーカ２００の取付構造について説明する。
【００２８】
（メインスピーカ３０Ｌ、３０Ｒ）
図３に示されるように、ガラス枠２２は、ガラス枠２２の本体部（枠本体）を構成するとともに、前述の窓部２４が形成されガラス板２６が装着されたベース１０２を備えている。ベース１０２は、合成樹脂による成形品とされ、裏面１０２Ｂにおける右上及び左上の両角部近傍に、裏面視が横長の略台形状（五角形状）とされた凹陥部１０５が設けられている。
【００２９】
凹陥部１０５には、それぞれメインスピーカ３０Ｌ又は３０Ｒが収容され、裏ケース１０６がビス１１０により前記凹陥部１０５に突き合わされて固定されることで、密閉空間が形成されるようになっている（密閉型エンクロージャ）。
【００３０】
一方、ベース１０２の前面１０２Ａには、左右のメインスピーカ３０Ｌ、３０Ｒの取付部を含む上端部領域に、パチンコ機１０の前面を装飾する装飾部材１３０が取り付けられている。装飾部材１３０は箱型で、下壁部１３０Ｂの中央領域が前記窓部２４に沿った略円弧面状とされるとともに、前壁部１３０Ａが左右側端部から中央部へかけて前方へ膨らむ曲面状とされている。装飾部材１３０の前壁部１３０Ａにおける左右側部には、メインスピーカ３０の前方に位置して通音孔部１３２が形成されている。
【００３１】
（ウーファースピーカ２００）
メインスピーカ３０Ｌ、３０Ｒが設けられたガラス枠２２のベース１０２に取り付けられているのに対し、図４に示される如く、ウーファースピーカ２００は、皿ユニット４０に収容されている。
【００３２】
図４に示される如く、皿ユニット４０は本体部２０２とカバーユニット２０４とで構成されている。カバーユニット２０４は、メインカバー２０６、センターカバー２０８並びに底カバー２１０で構成されている。
【００３３】
このカバーユニット２０４は、上記３つの構成部品が組み合わされた状態では、図４の幅方向中央部が紙面手前側に突出した円弧形状となっており、この結果、本体部２０２とカバーユニット２０４との間に空間部が形成されるようになっている。
【００３４】
なお、メインカバー２０６の幅方向中央部は、球貸しスイッチ等のスイッチボックス２１２が設けられている。このスイッチボックス２１２が前記センターカバー２０８によって被覆されるようになっている。ここで、スイッチボックス２１２には、センターカバー２０８に設けられた前述の音出力開口部５８と対面する位置に矩形孔２１２Ａが設けられている。
【００３５】
また、本体部２０２とカバーユニット２０４との間にできる隙間（空間部）は、上端部が上皿４２によって被われ、下端部が底カバー２１０によって被われており、前記空間部は、ほぼ密閉状態となっている。
【００３６】
カバーユニット２０４のメインカバー２０６においては、前記空間部を利用して、前述した下皿４４、灰皿５６等が形成される共に、発射ハンドル５４を取り付けるための凹陥部２１０が形成される。
【００３７】
一方、センターカバー２０８の裏面側における、最も広い空間部には、スピーカボックス２１４が収容されている。
【００３８】
図４乃至図６に示される如く、スピーカボックス２１４は、四隅が所謂Ｒ形状（円弧形状）となった角の無い有底の箱体である。底部２１６には、円孔２１８が形成され、底部２１６の下面側からウーファースピーカ２００が取り付けられている。
【００３９】
このウーファースピーカ２００が取り付けられた周囲には、前記底部２１６から下方向（図４に示す底カバー２１０方向）へ突出する角無し矩形筒状の壁部材２２０が設けられ、ウーファースピーカ２００の周囲を閉塞している。
【００４０】
図４に示される如く、前記ウーファースピーカ２００のマグネット部は、前記底カバー２１０に設けられた網目状の通音孔部２２２と対向している。この通音孔部２２２の外径は、前記マグネット部の外径とほぼ同一となっている。
【００４１】
図４乃至図７に示される如く、前記スピーカボックス２１４の上部開口には、蓋体２２４が取り付けられている。この蓋体２２４は、薄肉で、所謂太鼓型に上に凸状とされた湾曲形状となっている。このため、ウーファースピーカ２００が低音域の音を出力すると、この出力に伴って振動し易い構造となっている。なお、この蓋体２２４は、前記上皿４２（図４参照）の下面に接触、あるいは近接配置されており、前記振動は下皿４２に伝わり易くなっている。
【００４２】
図６及び図７スピーカボックス２１４の前側には、矩形孔２２６が形成されている。この矩形孔２２６には、一端部に矩形状のフランジ２２８形成された筒体２３０が、その他方（フランジ２２８が形成されていない側）から挿入されている。この挿入は、フランジ２２８が前記矩形孔２２６の周縁に密着されることで完了する。
【００４３】
フランジ２２８には、メッシュ板２３２が取り付けられ、ビス２３４によって、前記フランジ２２８とメッシュ板２３２とがスピーカボックス２１４の矩形孔２２６の周縁に共締めされている。
【００４４】
これにより、スピーカボックス２１４は、ウーファースピーカ２００のエンクロージャとしての役目を果たすことになる（図７参照）。
【００４５】
メッシュ板２３２を通過して出力される低音域の音は、前述した音出力開口部５８から遊技者に向けて出力される。
【００４６】
ここで、本実施の形態のウーファースピーカ２００は、低音域の音を出力するという本来の役目に加え、図４に示す、皿ユニット４０における上皿４２や下皿４４等での球詰まりを解消するための振動発生源としての役目を有している。
【００４７】
すなわち、前記蓋体２２４が上皿４２の下面に接触又は近接配置されることで、ウーファースピーカ２００から低音域の音が出力されると、蓋体２２４を介して上皿４２に振動が伝わり、この上皿４２に貯留されている遊技球が運動エネルギーを受け、球詰まりを解消することができる。なお、上皿４２の整列通路４６でも起こり得る球詰まりも前記振動によって解消可能である。
【００４８】
なお、上皿４２と下皿４４とは、カバーユニット２０４を介して接触して組み付けられているため、振動は下皿４４にも伝えられる。
【００４９】
ここで、スピーカを振動発生源として、球詰まりを解消するとい技術は、本願発明の背景技術の項においても記述したように周知である。この周知技術と本実施の形態との相違点は、振動源として適用するウーファースピーカ２００の主たる目的が演出のための音出力であり、ウーファースピーカ２００は、この目的のみのために低音域の音を出力している点にある。すなわち、遊技の進行に従い実行される音による演出（効果音の出力、ＢＧＭの出力、音声の出力）を従来どおり行っているだけであり、球詰まりの検出等、球詰まりに関する情報の収集を行っていない。
【００５０】
以下に、本実施形態の作用について説明する。
【００５１】
本実施形態に係るパチンコ機１０のスピーカ構造１００は、２．１サラウンドスピーカシステムを構成しており、その内のメインスピーカ３０Ｌ、３０Ｒが、ベース１０２の裏面１０２Ｂに形成された凹陥部１０５に収容され、裏ケース１０６によって、前記メインスピーカ３０Ｌ、３０Ｒの取り付け空間を閉塞している。
【００５２】
こにより、メインスピーカ３０Ｌ、３０Ｒの取り付け部位は、密閉型エンクロージャが構成されるため、前方へ出力される正位相の音波が、後方へ出力される逆位相の音波によって打ち消されなくなり、出力音声の高音質化が図られる。
【００５３】
一方、メインスピーカ３０Ｌ、３０Ｒと共に、２．１サラウンドスピーカシステムを構成するウーファースピーカ２００は、スピーカボックス２１４に取り付けた状態で皿ユニット４０に取り付けられている。
【００５４】
この皿ユニット４０は、上皿４２とカバーユニット２０４とにより、閉塞された空間部が形成され、この空間部におけるセンターカバー２０８の裏面側にスピーカボックス２１４を配置した。
【００５５】
本実施の形態のウーファースピーカ２００は、スピーカボックス２１４に取り付けられることで、ボックス型のスピーカユニットを構成しており、着脱が容易となっている。
【００５６】
このスピーカボックス２１４に挿入された筒体２３０の開口が、遊技者に向けられた音出力開口部５８と連通し、エンクロージャー構造となっているため、遊技者に向けて音質の優れた低音域の音を出力することができる。なお、「音質の優れた」とは特に基準があるものではなく、エンクロージャー構造となっていない構成のウーファースピーカに比べて低音域の周波数帯域を拡大し、音場の指向性がよくなることを言う。
【００５７】
ここで、本実施の形態のウーファースピーカ２００は、遊技の進行に伴って効果音、ＢＧＭ、音声の低音域を出力する。このとき、スピーカボックス２１４の蓋体２２４が、上皿４２の下面に接触あるいは近接して配置されているため、音出力時の蓋体２２４の振動が、ダイレクトに上皿４２に伝えられる。
【００５８】
このため、上皿４２（整列通路４６を含む）において球詰まりを起こして静止状態となっている遊技球に運動エネルギーを与えることができ、それぞれの遊技球が動き出す（振動する）ことで、自然に球詰まりが解消される。また、下皿４４においてもカバーユニット２０４を介して振動が伝えられるため、この下皿４４での球詰まりも解消することができる。
【００５９】
上記ウーファースピーカ２００からの低音域の音は、遊技が進行していれば（遊技球が発射されていれば）、ほぼ連続的に出力されるため、あえて、球詰まりを検出するセンサを適用して、このセンサにより球詰まりを検出したときのみ実行するといった、球詰まり専用のシーケンス制御等が全く不要である。
【００６０】
言い換えれば、遊技を進行してれば、球詰まりのことを全くきにすることなく、遊技球は、上皿４２、整列通路４６、あるいは下皿４４を円滑に流れ、遊技の進行を妨げることがない。
【００６１】
さらに、球詰まり現象の解消を促進する手段として後述する条件（（Ａ）、（Ｂ）、（Ｃ））で効果音低音成分を強調する構成を追加しても良い。
【００６２】
（Ａ）  始動入賞時から、この始動入賞球が払い出されるまで（所謂、時短中に頻繁に払い出される賞品球に対して有効）
（Ｂ）  大役権利の行使（遊技盤に設置される大入賞口（アタッカー）への入賞）から、大入賞口への入賞球に対する賞球の払い出しが終了するまで（短時間における集中的に払い出される賞品球に対して有効）
（Ｃ）  球貸し操作が開始されてから、貸出球の払い出しが終了するまで（短時間に集中して払い出される貸出球に対して有効）
これにより、遊技球が集中して、球詰まり現象を起こしやすい時期に、特に低音（振動）が多用されるため、球詰まり現象解消効果の度合いが増大する。なお、上記（Ａ）乃至（Ｃ）は一例であり、低音出力を多用する時期を限定するものではなく、必要に応じて、有効と考えられる時期に定期的に、或いは突発的に低音を出力するようにしてもよい。
【００６３】
ここで、皿ユニット４０にウーファースピーカ２００を配置すると、不正行為のための隙間を形成することになる。すなわち、ウーファースピーカ２００の振動膜の表裏共に密閉せず少なからず連通孔が必要である。この場合、本実施の形態では、振動膜の表面側は筒体２３２を設けることで、不正行為のための例えば針金などの細長い線部材は、コーン紙を貫通することなく、ウーファースピーカ２００のマグネット部に当接するか、スピーカボックス２１４内で留まるため、不正行為を助長することはない。
【００６４】
一方、ウーファースピーカ２００の振動膜の裏面側、すなわち、マグネット部が設けられた側には、底面カバー２１０に通音孔部２２２を設ける必要がある。この通音孔部２２２から皿ユニット４０の空間部に不正行為に利用する針金などの細長い線部材が入り易くなる。そこで、本実施の形態では、通音孔部２２２の外径をマグネット部の外径とほぼ同等とし、前記細長い線部材の通過路をマグネット部で遮断するようにした。また、必要最大限の開口径としたため（マグネット部とほぼ同径）、音質の低下はない。
【００６５】
以上説明したように本実施の形態では、パチンコ機１０に搭載される２．１サラウンドスピーカシステムを構成するメインスピーカ３０Ｌ、３０Ｒとウーファースピーカ２００の内、ウーファースピーカ２００を皿ユニット４０に形成される空間部にスピーカボックス２１４として収容したので、遊技の進行に伴って低音域の音が出力されると、この出力時の振動が上皿４２には直接伝わり、上皿４２等で発生し得る球詰まりを解消することができる。このとき、球詰まりの有無を検出する必要がないので、新たな部品の増加や複雑な制御が全くない。
【００６６】
なお、本実施の形態では、ウーファースピーカ２００を取り付けたスピーカボックス２１４を皿ユニット４０の空間部に配設したが、上皿４２等に振動を与えることが可能な位置、例えば、上皿４２の奥側等にウーファースピーカ２００を配置してもよい。この場合、ウーファースピーカ２００としての本来の機能を損なうことがないように、通音路等を配慮する必要がある。
【図面の簡単な説明】
【００６７】
【図１】本実施の形態に係るパチンコ機を示す斜視図である。
【図２】本実施の形態に係るパチンコ機のガラス枠が開放された状態を示す正面側から見た斜視図である。
【図３】本実施の形態に係るメインスピーカが組み込まれたガラス枠の背面から見た分解斜視図である。
【図４】本実施の形態に係る皿ユニットの分解斜視図である。
【図５】本実施の形態に係るスピーカボックスの斜視図である。
【図６】本実施の形態に係るスピーカボックスの分解斜視図である。
【図７】本実施の形態に係るスピーカボックスの側面断面図である。
【符号の説明】
【００６８】
Ｇ    遊技盤
１０    パチンコ機（遊技機）
２２    ガラス枠
３０Ｌ、３０Ｒ    メインスピーカ（スピーカシステム）
４０    皿ユニット
４２    上皿（貯留部）
４４    下皿（貯留部）
４６    整列通路（貯留部）
４８    球排出口
５０    上皿用球抜きレバー
５２    下皿用球抜きレバー
５４    発射ハンドル
２００    ウーファースピーカ（スピーカシステム）
２０２    本体部
２０４    カバーユニット
２０６    メインカバー
２０８    センターカバー
２１０    底カバー
２１２    スイッチボックス
２１２Ａ    矩形孔
２１４    スピーカボックス（筐体）
２１６    底部
２１８    円孔
２２０    壁部材
２２２    通音孔部
２２４    蓋体
２２６    矩形孔
２２８    フランジ
２３０    筒体
２３２    メッシュ板
２３４    ビス
【図１】
2008036335.tif 000003
【図２】
2008036335.tif 000004
【図３】
2008036335.tif 000005
【図４】
2008036335.tif 000006
【図５】
2008036335.tif 000007
【図６】
2008036335.tif 000008
【図７】
2008036335.tif 000009